(57)【要約】【課題】ヒンジ部に亀裂等が生じた場合においても、亀裂等の進行を阻止することができ、その結果、携帯電子機器の筐体全体の強度を向上させることができる携帯電子機器を提供する。【解決手段】本発明の携帯電子機器は、表示側本体２と操作側本体とがヒンジ部により回動自在に連結された折りたたみ形式のＰＨＳ端末であり、このＰＨＳ端末のフロントケース５ａは、インサート板金１１と樹脂板部２１とを一体成形したもので、このインサート板金１１は、ヒンジ部側の接合リブ１３ａの一端部に延設されるとともに回動部２３の筒部２３ａ内に延在する矩形板状のつば部１４を備えている。【選択図】図２
2010109712.tif 000002
【特許請求の範囲】
【請求項１】
第１筐体と、
第２筐体と、
前記第１の筐体と前記第２の筐体とを回動自在に連結するヒンジ部と、を備え、
前記第１の筐体及び前記第２の筐体の少なくとも一方は、
樹脂部材にて形成されるとともに、
外方に突出するつば部が形成されたインサート板金がインサート成形により一体成形され、
前記つば部は、前記ヒンジ部の周辺の一部を覆う位置に配置されて、前記樹脂部材に一体成形されていることを特徴とする携帯電子機器。
【請求項２】
前記樹脂部材はガラス繊維を含有してなることを特徴とする請求項１記載の携帯電子機器。
【請求項３】
前記つば部は、前記第１の筐体及び前記第２の筐体のうちいずれか一方または双方のインサート板金に形成されていることを特徴とする請求項１または２記載の携帯電子機器。
【請求項４】
前記第１の筐体及び前記第２の筐体のうち少なくとも一方と、前記インサート板金とを一体成形してケース部材としたことを特徴とする請求項１、２または３記載の携帯電子機器。
【発明の詳細な説明】
【技術分野】
【０００１】
本発明は、筐体自体の強度を向上させることが可能な携帯電子機器に関するものである。
【背景技術】
【０００２】
従来、携帯電話機や携帯情報端末等の携帯電子機器の筐体に用いられる樹脂組成物としては、樹脂の剛性を上げることを目的としてガラス繊維を添加した繊維強化プラスチック（Fiber Reinforced Plastics：ＦＲＰ）と称される樹脂組成物が主流となっている。
この繊維強化プラスチックとしては、例えば、芳香族ポリカーボネート樹脂と、繊維長が１４０μｍ以下のガラス繊維を５０重量％以上含むガラス繊維と、縮合リン酸エステルと、アルキル（メタ）アクリレート系重合体と、ポリテトラフルオロエチレンとを含むポリカーボネート樹脂組成物が提案されている（特許文献１）。
さらに、近年では、携帯電子機器の筐体自体の剛性を高めるために、繊維強化プラスチックとインサート板金とを一体成形したものを用いることも多くなっている。
【特許文献１】特開２００６−１７６６１２号公報
【発明の開示】
【発明が解決しようとする課題】
【０００３】
ところで、従来の繊維強化プラスチックでは、樹脂組成物中にガラス繊維を混入しているために、プラスチック全体の剛性は上がるものの、同時に靱性が低下し、プラスチックに亀裂やマイクロクラック等が生じ易くなるという問題点があった。
例えば、従来の繊維強化プラスチックとインサート板金とを一体成形したものを用いて折り畳み式の携帯電子機器の筐体を作製した場合、筐体自体の剛性は高まるものの、筐体同士を回動自在に支持するヒンジ部に亀裂やマイクロクラック等が生じる虞があるという問題点があった。ヒンジ部に亀裂等が生じた場合、この亀裂が進行してヒンジ部が破壊してしまう虞もある。
【０００４】
本発明は上記事情に鑑みてなされたものであって、ヒンジ部に亀裂等が生じた場合においても、亀裂等の進行を阻止することができ、その結果、携帯電子機器の筐体全体の強度を向上させることができる携帯電子機器を提供することを目的とする。
【課題を解決するための手段】
【０００５】
本発明は上記の課題を解決するために、以下の携帯電子機器を提供した。
すなわち、本発明の携帯電子機器は、第１筐体と、第２筐体と、前記第１の筐体と前記第２の筐体とを回動自在に連結するヒンジ部と、を備え、
前記第１の筐体及び前記第２の筐体の少なくとも一方は、樹脂部材にて形成されるとともに、外方に突出するつば部が形成されたインサート板金がインサート成形により一体成形され、
前記つば部は、前記ヒンジ部の周辺の一部を覆う位置に配置されて、前記樹脂部材に一体成形されていることを特徴とする。
【０００６】
本発明の携帯電子機器では、前記樹脂部材はガラス繊維を含有してなることが好ましい。
【０００７】
本発明の携帯電子機器では、前記つば部は、前記第１の筐体及び前記第２の筐体のうちいずれか一方または双方のインサート板金に形成されていることが好ましい。
前記第１の筐体及び前記第２の筐体のうち少なくとも一方と、前記インサート板金とを一体成形してケース部材としたことが好ましい。
【発明の効果】
【０００８】
本発明の携帯電子機器によれば、第１筐体と、第２筐体と、前記第１の筐体と前記第２の筐体とを回動自在に連結するヒンジ部と、を備えた携帯電子機器であり、前記第１の筐体及び前記第２の筐体の少なくとも一方を、樹脂部材にて形成するとともに、外方に突出するつば部が形成されたインサート板金をインサート成形により一体成形し、前記つば部を、前記ヒンジ部の周辺の一部を覆う位置に配置し、前記樹脂部材に一体成形したので、このヒンジ部に亀裂やマイクロクラック等が生じた場合においても、このつば部が亀裂やマイクロクラック等の進行を阻止することができる。したがって、ヒンジ部にて亀裂やマイクロクラック等が生じた場合においても、ヒンジ部における亀裂やマイクロクラック等の進行及びこれらに起因する破断を防止することができる。
【発明を実施するための最良の形態】
【０００９】
本発明の携帯電子機器を実施するための最良の形態について、図面に基づき説明する。
なお、本実施形態は、発明の趣旨をより良く理解させるために、携帯電子機器の一例としてＰＨＳ端末等の携帯電話端末について具体的に説明するものであり、特に指定のない限り、本発明を限定するものではない。
以下の説明で用いる図面は、特徴を分かり易くするために、各構成要素の寸法比率を実際の寸法比率と異ならせている。
【００１０】
図１は、本発明の一実施形態のＰＨＳ端末の外観を示す斜視図である。
このＰＨＳ端末１は、表示側本体２と操作側本体３とがヒンジ部４により、このヒンジ部４の軸心を中心として回動自在に連結された折りたたみ形式のものであり、比較的に薄型のものである。
ここでは、ＰＨＳ端末１がヒンジ部４により折り畳まれた場合に、表示側本体２と操作側本体３とが接触又は対向する面をそれぞれ表示側対向面２ａ及び操作側対向面３ａとしている。
【００１１】
表示側本体２は、この本体の外装を構成する表示側筐体（第１の筐体）５と、この表示側筐体５の一方の面（表示側対向面２ａ）に設けられる表示部６と、この表示部６と同一平面上であって表示部６の外方に設けられる受話口７とを有している。
【００１２】
表示側筐体５は、表示側本体２の外装を構成するものであり、表示側対向面２ａ側を構成するフロントケース（ケース部材）５ａと、表示側対向面２ａに対して表示側本体２の裏面側を構成するリアケース５ｂとにより構成されている。これらフロントケース５ａとリアケース５ｂとは、その厚み方向に互いに結合可能な構成となっている。
【００１３】
表示部６は、例えば、液晶ディスプレイ（ＬＣＤ）、有機エレクトロルミネッセンス（ＥＬ：Electro Luminescence）素子等により形成されて所望の画像や文字等を表示するものであり、表示側筐体５の略中央部に嵌合されている。
受話口７は、表示部６と同一平面上かつその外方に設けられたもので、表示側筐体５内に設けられたスピーカ（図示略）と連通する構成になっている。
【００１４】
操作側本体３は、この本体の外装を構成する操作側筐体（第２の筐体）８と、操作側筐体８の一方の面（操作側対向面３ａ）に設けられる操作部９と、操作部９と同一平面上であって操作部９の外方に設けられる送話口１０とを有している。
【００１５】
操作側筐体８は、操作側本体３の外装を構成するものであり、操作側対向面３ａ側を構成するフロントケース（ケース部材）８ａと、操作側対向面３ａに対して操作側本体３の裏面側を構成するリアケース８ｂとにより構成されている。これらフロントケース８ａとリアケース８ｂとは、その厚み方向に互いに結合可能な構成となっている。
【００１６】
操作部９は、電源キー、テンキー及び各種機能キーから構成されており、ユーザーによる各種の操作指示を入力する構成になっている。
送話口１０は、操作部９と同一平面上かつその外方に設けられたもので、操作側筐体８内に設けられたマイクロフォン（図示略）と連通する構成になっている。
【００１７】
ヒンジ部４は、その軸心を中心として表示側本体２及び操作側本体３のいずれか一方または双方を回動させることにより、表示側本体２及び操作側本体３を開いたり、折り畳んだりするもので、表示側本体２の操作側本体３と接する側の端部に一体に成形される円筒状の回動部２３と、この回動部２３内に軸心を同じくして配置されかつ操作側本体３の表示側本体２と接する側の端部に一体に成形される円柱状の支持部２４とにより構成され、これら回動部２３及び支持部２４は、相互に摺動することにより表示側本体２及び操作側本体３を開いたり、折り畳んだりすることができるようになっている。
【００１８】
図２は、本実施形態のＰＨＳ端末１の表示側本体２を示す分解斜視図である。
表示側本体２は、液晶ディスプレイ（ＬＣＤ）、有機エレクトロルミネッセンス（ＥＬ：Electro Luminescence）素子等により形成され所望の画像や文字等を表示する表示部６と、インサート板金１１と樹脂板部２１とが一体的に形成され、表示部６を装着するフロントケース５ａと、表示部６を駆動すると共にフロントケース５ａに装着される回路基板３１と、フロントケース５ａと嵌合して回路基板３１等を囲包するリアケース５ｂとを備えている。
なお、図２においては、説明の都合上、インサート板金１１と樹脂板部２１とを分離してあるが、実際には、インサート板金１１と樹脂板部２１とは一体成形されてフロントケース５ａを構成している。
【００１９】
表示部６は、液晶パネル６ａと、この液晶パネル６ａを固定するフレーム６ｂとを備えており、フレーム６ｂにはフロントケース５ａに取り付けるための係止爪６ｃが立設されている。この係止爪６ｃをフロントケース５ａに形成された係止孔に係止することにより、表示部６がフロントケース５ａに収容され、固定されるようになっている。
【００２０】
フロントケース５ａは、比較的に薄型のインサート板金１１をインサート部材とし、このインサート板金１１の表面に、インサート成形により、比較的に薄型でかつインサート板金１１の厚みよりも厚い樹脂板部２１を一体成形したものである。このフロントケース５ａでは、薄型に成形して低下した樹脂板部２１の強度を、インサート板金１１をインサート成形により一体成形することで補強した構造である。
【００２１】
樹脂板部２１は、略矩形枠状に成形されその先端部の略中央に受話口７が成形された樹脂窓枠部２２と、この樹脂窓枠部２２の外縁部に一体に成形されヒンジ部４の一部を構成する回動部２３とを備えている。
回動部２３は、樹脂窓枠部２２の一端部の両側に一体に形成された円筒状の筒部２３ａ及び筒部２３ｂと、この樹脂窓枠部２２の一端部の中央部に一体に湾状に形成され支持部２４の一部を覆う円弧板状のカバー部２３ｃとにより構成されている。
【００２２】
インサート板金１１は、図３に示すように、複数の貫通孔が形成された略矩形板状のインサート主板１２と、このインサート主板１２の各縁部から外方へ延設された接合リブ１３ａ〜１３ｄと、ヒンジ部４側の接合リブ１３ａの一端部に延設されるとともに回動部２３の筒部２３ａ内に延在する矩形板状のつば部１４とを備えている。
【００２３】
つば部１４は、図４に示すように、接合リブ１３ａの表面に対して所定の角度（θ）で傾斜するとともに、筒部２３ａの周方向に延び、先端部が筒部２３ａ内に収納された状態で一体化されている。
つば部１４の大きさや角度（θ）は、つば部１４が筒部２３ａに一体化されて剛性を十分高めることができ、しかも筒部２３ａの回動に影響を及ぼさないものであればよく、特に制限されない。
【００２４】
次に、このＰＨＳ端末１に衝撃が加わった場合について説明する。
例えば、操作者の不注意等によりＰＨＳ端末１を床に落としてしまった場合、落下した状態により表示側本体２または操作側本体３のいずれか、あるいは双方に衝撃が加わる。このとき、表示側本体２や操作側本体３自体が外部からの衝撃に強いために、加わった衝撃は、衝撃に最も弱いヒンジ部４に集中し、このヒンジ部４に亀裂やマイクロクラックを発生させる。
【００２５】
この亀裂やマイクロクラックは、ヒンジ部４のうち剛性が弱いとされる回動部２３あるいは支持部２４に生じることとなる。回動部２３に亀裂やマイクロクラックが生じた場合、回動部２３につば部１４が設けられているために、生じた亀裂やマイクロクラック等はつば部１４により遮断され、回動部２３内にさらに進行する虞がなくなる。これにより、回動部２３に生じた亀裂やマイクロクラック等がさらに進行して回動部２３を破壊してしまう虞もなくなる。
【００２６】
以上説明したように、本実施形態のＰＨＳ端末１によれば、表示部６を装着するフロントケース５ａをインサート板金１１と樹脂板部２１とにより一体的に形成し、このインサート板金１１のヒンジ部４側の接合リブ１３ａの一端部に、回動部２３の筒部２３ａ内に延在する矩形板状のつば部１４を延設したので、ヒンジ部４に亀裂やマイクロクラック等が生じた場合であっても、つば部１４により亀裂やマイクロクラック等の進行を阻止することができる。したがって、ヒンジ部４に亀裂やマイクロクラック等が生じた場合においても、ヒンジ部４における亀裂やマイクロクラック等の進行及びこれらに起因する破断を防止することができる。
【００２７】
なお、本実施形態において示した構成や動作等は一例であって、本発明の主旨から逸脱しない範囲において設計要求等に基づき種々変更可能である。
例えば、フロントケース５ａのインサート板金１１のヒンジ部４側の接合リブ１３ａの一端部に、回動部２３の筒部２３ａ内に延在する矩形板状のつば部１４を延設する替わりに、操作側筐体８のフロントケース８ａのインサート板金のヒンジ部４側の端部につば部１４を延設した構成としてもよく、あるいは、フロントケース５ａ及びフロントケース８ａ双方のインサート板金のヒンジ部４側の端部各々につば部１４を延設した構成としてもよい。
【００２８】
また、フロントケース５ａ及びフロントケース８ａは、矩形板状のものであったが、ヒンジ部４側の端部につば部１４を延設することができれば、どのような形状であっても本発明を適用することができる。
【００２９】
また、本実施形態においては、携帯電子機器の一例として、ＰＨＳ端末について説明したが、これに限らず様々な携帯用端末装置、例えば、ＰＤＡ（Personal Digital Assistants）、デジタルカメラ、デジタルビデオカメラ、ノート型パーソナルコンピュータ等の携行可能な携帯電子機器に対しても適用することができ、特に薄型、小型化の要請が強い電子機器に対しては有効である。
【図面の簡単な説明】
【００３０】
【図１】本発明の一実施形態のＰＨＳ端末の外観を示す斜視図である。
【図２】本発明の一実施形態のＰＨＳ端末の表示側本体を示す分解斜視図である。
【図３】本発明の一実施形態のＰＨＳ端末のインサート板金を示す平面図である。
【図４】本発明の一実施形態のＰＨＳ端末のインサート板金のつば部を示す断面図である。
【符号の説明】
【００３１】
１…ＰＨＳ端末、２…表示側本体、３…操作側本体、４…ヒンジ部、５…表示側筐体（第１の筐体）、５ａ…フロントケース（ケース部材）、５ｂ…リアケース、６…表示部、７…受話口、８…操作側筐体（第２の筐体）、８ａ…フロントケース（ケース部材）、８ｂ…リアケース、９…操作部、１０…送話口、１１…インサート板金、１２…インサート主板、１３ａ〜１３ｄ…接合リブ、１４…つば部、２１…樹脂板部、２２…樹脂窓枠部、２３…回動部、２３ａ、２３ｂ…筒部、２３ｃ…カバー部、２４…支持部。
【図１】
2010109712.tif 000003
【図２】
2010109712.tif 000004
【図３】
2010109712.tif 000005
【図４】
2010109712.tif 000006